(57)【特許請求の範囲】
【請求項１】
複数の視点に対して異なる画像を表示することが可能な多重映像表示装置において、
他の視点からの画像に関する表示情報を提供可能とする表示情報提供手段を有し、
上記表示情報提供手段は、各視点からの視認画像内に組み込まれるサブ画面にて、他の視点からの画像に関する表示情報をアイコン表示にて示すものである多重映像表示装置。
【請求項２】
複数の視点に対して異なる画像を表示することが可能な多重映像表示装置において、
他の視点からの画像に関する表示情報を提供可能とする表示情報提供手段を有し、
上記表示情報提供手段は、表示部外に設けられる表示情報報知手段である多重映像表示装置。
【請求項３】
上記サブ画面は、同一画面表示モードか多重画面表示モードであるかの表示モードを示すものである請求項１に記載の多重映像表示装置。
【請求項４】
上記サブ画面は、各画面にて選択表示されているソースモードを示すものである請求項１に記載の多重映像表示装置。
【請求項５】
上記表示情報報知手段は、同一画面表示モードか多重画面表示モードであるかの表示モードをＬＥＤの点灯にて報知するものである請求項２に記載の多重映像表示装置。
【請求項６】
上記表示情報報知手段は、各画面にて選択表示されているソースモードをＬＥＤの点灯にて報知するものである請求項２に記載の多重映像表示装置。
【発明の詳細な説明】
【技術分野】
【０００１】  本発明は、複数の視点に対して異なる画像を表示することが可能な多重映像表示装置に関するものである。
【背景技術】
【０００２】  従来、複数の視点に対して異なる画像を表示する表示装置は、表示パネルに視差バリア等の視野角制御手段を組み合わせた３Ｄ表示装置等として提案されている。このような３Ｄ表示装置においては、図１０に示すように、表示パネル１０１にて生成される右目用画像および左目用画像に対して、表示パネル１０１外に設けられる視野角制御手段としての視差バリア１０２によって特定の視野角が与えられる。これにより、図１１に示すように、空間上の特定の観察領域からであれば、各々の目に対応する像のみが視認され、観察者において３Ｄ画像が認識される。【０００３】  また、表示パネルと視野角制御手段とを組み合わせることで、複数の視点に対して異なる画像を表示するようにした表示装置は、上述のような３Ｄ表示への利用に限られない。例えば、複数の観察者に対して異なる画像を表示するような表示（以下、二重映像表示と称する）においても利用可能である。すなわち、３Ｄ表示では、図１２（ａ）に示すように、視野角によって分離された右目用画像および左目用画像が、同一の観察者の右目および左目のそれぞれにおいて観察される。一方、二重映像表示では、図１２（ｂ）に示すように、視野角によって分離された第１画像および第２画像が、異なる観察者のそれぞれにおいて観察される。【０００４】  このような二重映像表示装置は、画素ピッチやパネル−バリア間距離等の設定条件を３Ｄ表示の場合と異ならせて画像の分離角度を広げているが、視野角によって画像を分離する原理は３Ｄ表示装置と同様である。また、異なる画像を見ることができる視点の数を増やすことで、同様の原理で３重以上の映像表示を行うことも可能である。【０００５】  尚、上述の３Ｄ表示装置や二重映像表示装置は、視野角制御手段として視差バリアを用いる方式に限定されるものではなく、これ以外にもレンチキュラレンズやプリズムレンズ等を用いた様々な方式が提案されている。３Ｄ表示や二重映像表示の技術を開示するものとしては、以下の特許文献１〜８等がある。【０００６】［特許文献１］日本国公開特許公報  特開昭６２−５７３９２号公報（公開日１９８７年３月１３日）
［特許文献２］日本国公開特許公報  特開昭６３−１８２６３２号公報（公開日１９８８年７月２７日）
［特許文献３］日本国公開特許公報  特開平３−２３０６９９号公報（公開日１９９１年１０月１４日）
［特許文献４］日本国公開特許公報  特開平６−１９５０４９号公報（公開日１９９４年７月１５日）
［特許文献５］日本国特許公報  特許３１３３４７８号公報（公開日１９９３年１１月１９日）
［特許文献６］日本国特許公報  特許３３９８９９９号公報（公開日１９９４年８月２３日）
［特許文献７］日本国特許公報  特許３１８４０６９号公報（公開日１９９６年５月３１日）
［特許文献８］日本国公開特許公報  特開２０００−１３７４４３号公報（公開日２０００年５月１６日）
［特許文献９］日本国公開特許公報  特開２００４−２０６０８９号公報（公開日２００４年７月２２日）
しかしながら、多重映像表示（以下の説明では、二重以上の映像表示を多重映像表示と称する）では、各観察者は、自分以外の他の観察者が見ている映像を認識できず、このことは、観察者同士のコミュニケーションを取りづらくさせるといった問題を生じさせる。
【発明の開示】
【０００７】  本発明の目的は、多重映像表示を行うにあたって、各観察者に対して他の観察者が見ている画像の情報を提供可能とする多重映像表示装置を実現することにある。
【０００８】  本発明に係る多重映像表示装置は、上記目的を達成するために、複数の視点に対して異なる画像を表示することが可能な多重映像表示装置において、他の視点からの画像に関する表示情報を提供可能とする表示情報提供手段を有する。
【０００９】  上記の構成によれば、上記多重映像表示装置において多重映像表示を行うにあたって、各観察者に対して他の観察者が見ている画像の情報を上記表示情報提供手段によって提供することができる。これにより、各観察者が自分以外の他の観察者が見ている映像を認識できず、観察者同士のコミュニケーションを取りづらくさせるといった問題を回避できる。
【図面の簡単な説明】
【００１０】
【図１】実施の形態１に係る多重映像表示装置において、表示の一例を示すものであり、同図（ａ）はデュアルビューモード時の表示状態、同図（ｂ）はシングルビューモード時の表示状態を示す図である。
【図２】本発明に係る多重液晶表示装置において、表示パネルの概略構成を示す断面図である。
【図３】本発明に係る多重液晶表示装置において、該多重液晶表示装置の概略構成を示すブロック図である。
【図４】実施の形態１に係る多重映像表示装置において、表示の他の例を示すものであり、同図（ａ）はデュアルビューモード時の表示状態、同図（ｂ）はシングルビューモード時の表示状態を示す図である。
【図５】実施の形態１に係る多重映像表示装置において、表示のさらに他の例を示すものであり、同図（ａ）はデュアルビューモード時の表示状態、同図（ｂ）はシングルビューモード時の表示状態、同図（ｃ）は同図（ａ）とは異なるデュアルビューモード時の表示状態を示す図である。
【図６】実施の形態１に係る多重映像表示装置において、表示のさらに他の例を示す図である。
【図７】実施の形態１に係る多重映像表示装置において変形例を示すものであり、多重映像表示装置の平面図である。
【図８】同図（ａ），（ｂ）は、実施の形態２に係る多重映像表示装置において、表示の一例を示す図である。
【図９】実施の形態２に係る多重映像表示装置において変形例を示すものであり、多重映像表示装置の平面図である。
【図１０】３Ｄ表示を行う場合などの、視野バリアによる視野角の付与効果を示す図である。
【図１１】３Ｄ表示画面の観察領域を示す図である。
【図１２】表示画面と観察者との関係を示す図であり、同図（ａ）は３Ｄ表示を行う場合、同図（ｂ）は二重映像表示を行う場合を示す図である。
【発明を実施するための最良の形態】
【００１１】  〔多重映像装置の構成例〕
本発明の一実施形態について図面に基づいて説明すると以下の通りである。先ずは、本実施の形態に係る多重映像表示装置において、その表示パネルの構成例を図２を参照して以下に説明する。尚、以下の説明では、液晶表示パネルに視差バリアを組み合わせて用いる方式について例示するが、本発明においてパネルの種類は液晶表示パネルに限定されるものではない。また、多重映像表示を行うための表示方式についても、特に視差バリア方式に限定されるものではない。【００１２】  液晶表示パネル１は、図２に示すように、透明電極層（図示せず）および配向膜（図示せず）が形成された２枚の透明基板１１間に、液晶層１２、カラーフィルタ１３、厚膜樹脂層１４、視差バリア層１５を形成してなる構成である。また、２枚の透明基板１１のそれぞれの外側には偏光板１６が配置されている。【００１３】  すなわち、液晶表示パネル１は、２枚の透明基板１１間、すなわちセル内において視差バリア層１５を形成している。また、視差バリア層１５をカラーフィルタ１３と接触させて形成すると視差バリアの機能をなさないため、視差バリア層１５とカラーフィルタ１３との間には厚膜樹脂層１４を形成し、該厚膜樹脂層１４の層厚にて視差バリア層１５とカラーフィルタ１３との間を適切な距離に調節するようになっている。【００１４】  これにより、上記構成では、カラーフィルタ１３と視差バリア層１５と間の距離を、多重映像表示に適して近接した距離（５０〜１００μｍ程度）に設定して、液晶表示パネル１を製造することが可能となる。多重映像表示を行う表示パネルでは、視差バリア層１５とピクセル層（この例ではカラーフィルタ１３）とを、３Ｄ表示を行うパネルに比べて近接して配置することが必要であるため、セル内において視差バリア層１５を形成する構成が好ましい。【００１５】  尚、液晶表示パネル１では、厚膜樹脂層１４は、カラーフィルタ１３と視差バリア層１５との間の距離を調節しているが、これはカラーフィルタ１３が所定の画素ピッチを有する部材であり、かつ視差バリア層１５に対して最も近くに配置されているためである。但し、上記液晶表示パネルにおいて、カラーフィルタ１３がない場合、あるいは、カラーフィルタ１３よりも液晶層１２の方が視差バリア層１５の近くに配置されている場合には、厚膜樹脂層１４によって液晶層１２と視差バリア層１５との距離が調整される。【００１６】  液晶表示パネル１において、液晶層１２を挟む２枚の基板のうち、厚膜樹脂層１４および視差バリア層１５を含む基板は以下の手順にて作成される。【００１７】  先ず、ガラス基板等の透明基板１１の一方の面に視差バリア層１５を作成する。視差バリア層１５は、透明基板１１の面上に遮光性材料（樹脂や金属等）を所定厚さに成膜し、これをパターニングすることで形成される。【００１８】  視差バリア層１５が形成されると、さらにその上に、アクリル樹脂等の透明樹脂により厚膜樹脂層１４が形成される。厚膜樹脂層１４は、視差バリア層１５とカラーフィルタ１３との間の距離が適切となるように、所定の厚さに成膜される。厚膜樹脂層１４の上には、カラーフィルタ１３が形成され、さらにその上に透明電極層および配向膜が形成される。【００１９】  また、視差バリアと表示パターンの関係等は、特許文献９に記載の技術を用いて実現される。【００２０】  上記液晶表示パネル１では、図１２（ｂ）に示すような二重映像表示に限らない多重映像表示を行うことができるが、以下の説明では二重映像表示を行うものとして説明を行う。また、第１画像と第２画像との関係は、それぞれ異なる映像を表示可能であることは言うまでも無いが、第１画像と第２画像とで同じ映像を表示することも可能である。【００２１】  ここで、本発明の多重映像表示装置は、各観察者に対して他の観察者が見ている画像の情報を提供可能であること特徴としており、そのための方法を以下の実施の形態１および２において説明する。【００２２】  〔実施の形態１〕
ここでは、第１画像および第２画像で異なる映像を表示する場合の表示モードを多重画面表示モード（以下、デュアルビューモード）とし、第１画像および第２画像で同じ映像を表示する場合の表示モードを同一画面表示モード（以下、シングルビューモード）とする。本実施の形態１に係る多重映像表示装置では、各観察者が、現在の表示モードがデュアルビューモードであるかシングルビューモードであるかの認識が行えるようにするものである。【００２３】  尚、ここでいうシングルビューモードとは、図２に示す構成の多重映像表示装置において、分離される二つの画面で同一の映像を表示するモードを指す。但し、多重映像表示装置の構成は上記図２の構成に限定されるものでは無く、視差バリアを含まない通常の液晶表示パネルに、視差バリア効果の有効・無効を電気的に切替可能な視差バリア手段を組み合わせる構成も考えられる。この構成では、視差バリア手段の効果を有効とする場合にデュアルビューモードで表示を行うことができると共に、視差バリア手段の効果を無効とする場合に表示部の全画面にて一つの画面表示（単画面表示モード）を行うことができる。そして、このような単画面表示モードも、シングルビューモード（同一画面表示モード）に含まれるものとする。【００２４】  デュアルビューモードであるかシングルビューモードであるかの認識を可能とするため、本実施の形態１では、図１（ａ），（ｂ）に示すように、表示部２０を左側から見た画面映像（左画面映像）および右側から見た画面映像（右画面映像）のそれぞれにおいて、現在の表示モードの情報を示すサブ画面２１Ｌおよび２１Ｒを表示する。図１（ａ）は、左画面映像にてＡ画面映像を、右画面映像にてＢ画面映像を表示しており、この場合、サブ画面２１Ｌおよび２１Ｒにおいてデュアルビューモードのアイコン表示を行う。図１（ｂ）は、左画面映像および右画面映像の両方にてＡ画面映像を表示しており、この場合、サブ画面２１Ｌおよび２１Ｒにおいてシングルビューモードのアイコン表示を行う。【００２５】  ここで、上述のようなサブ画面表示を可能とするための多重映像表示装置の構成例を、図３を参照して説明する。上記多重映像表示装置は、図３に示すように、表示部２０、ソースモード設定手段３１、制御手段３２、メイン画面生成手段３３、サブ画面生成手段３４、画面合成手段３５を備えている。【００２６】  ソースモード設定手段３１は、左画面映像および右画面映像にて表示するソースモードの設定をユーザの入力に基づいて行う手段である。すなわち、左画面映像および右画面映像として表示される映像は、ソースモードの設定によって決まるものである。例えば、本発明の多重映像表示装置をカーナビゲーション装置に適用する場合、運転席側から見える画面映像（通常、右画面映像）はナビゲーション画面とし、助手席側から見える画面映像（通常、左画面映像）はテレビ画面とすることが想定される。このような場合、ソースモード設定手段３１は、左画面映像および右画面映像のそれぞれにおいて、ナビゲーション画面やテレビ画面を表示させる設定を行う。また、本発明の多重映像表示装置をテレビに適用するような場合では、右画面映像と左画面映像とで異なるチャンネル���表示することが想定されるが、このような場合、ソースモード設定手段３１は、左画面映像および右画面映像のそれぞれにおけるチャンネル設定を行う。【００２７】  制御手段３２は、ソースモード設定手段３１、メイン画面生成手段３３、サブ画面生成手段３４、および画面合成手段３５の全てを制御する手段である。【００２８】  メイン画像生成手段３３は、上記ソースモード設定手段３１によって設定されたソースモードに基づき、右画面映像および左画面映像として表示するメイン画面映像を生成する。サブ画像形成手段３４は、上述したサブ画像を生成するための手段であり、制御手段３２より表示モードの情報を受けて、それに応じたサブ画像を生成する。制御手段３２は、サブ画像形成手段３４に表示モードの情報を通知するにあたって、ソースモード設定手段３１によって設定された左画面映像および右画面映像のそれぞれにおけるソースモードを認識し、これらが同じであればシングルビューモードと判断し、これらが異なるものであればデュアルビューモードと判断する。【００２９】  画面合成手段３５は、メイン画像とサブ画像とを合成し、図１（ａ），（ｂ）に示されるような表示画面を生成する手段である。表示部２０は、上記表示画面を表示する手段であり、表示パネル１とこれを駆動する駆動回路とから構成されている。【００３０】  尚、上記図１に示すサブ画面２１Ｌおよび２１Ｒの表示例は、あくまで一例に過ぎず、サブ画面の表示方法は他に色々なパターンが考えられる。例えば、図４（ａ），（ｂ）に示すように、表示部２０を左画面映像および右画面映像のそれぞれにおいて、ＬおよびＲの文字アイコンからなるサブ画面２２Ｌおよび２２Ｒを表示する。【００３１】  図４（ａ）は、左画面映像と右画面映像とが異なる画面映像を表示している場合であり、この場合、左画面映像におけるサブ画面２２Ｌでは、Ｌの文字アイコンのみを点灯させ（図では、黒地に白抜きの文字が点灯状態を示す）、その時の左画面映像が左画面のみでの表示映像であることを知らせる。同様に、右画面映像におけるサブ画面２２Ｒでは、Ｒの文字アイコンのみを点灯させ、その時の右画面映像が右画面のみでの表示映像であることを知らせる。【００３２】  さらに、図４（ｂ）は、左画面映像と右画面映像とが同じ画面映像を表示している場合であり、この場合、左画面映像におけるサブ画面２２Ｌと右画面映像におけるサブ画面２２Ｒとは、Ｌの文字アイコンとＲの文字アイコンとを共に点灯させ、その時の画面映像が左画面と右画面との両方で表示されていることを知らせる。【００３３】  さらに他の例として、図５（ａ），（ｂ）に示すように、左画面映像および右画面映像のそれぞれにおいて、矢印アイコンからなるサブ画面２３Ｌおよび２３Ｒを表示することもできる。【００３４】  図５（ｂ）は、左画面映像と右画面映像とが同じ画面映像を表示している場合であり、この場合、左画面映像におけるサブ画面２３Ｌと右画面映像におけるサブ画面２３Ｒとは、右向き矢印のアイコン（左画面映像を示す）と左向き矢印のアイコン（右画面映像を示す）とを共に点灯させ、その時の画面映像が左画面映像と右画面映像とが同じ画面映像であることを知らせる。【００３５】  また、左���面映像と右画面映像とが異なる画面映像を表示している場合には、図５（ａ）に示すように、左画面映像におけるサブ画面２３Ｌでは右向き矢印のアイコンのみを点灯させ、右画面映像におけるサブ画面２３Ｒでは左向き矢印のアイコンのみを点灯させる。このサブ画面表示により、その時の画面映像が左画面映像もしくは右画面映像のみでの画面映像であることを知らせることができる。【００３６】  あるいは、図５（ｃ）に示すように、左画面映像におけるサブ画面２３Ｌおよび右画面映像におけるサブ画面２３Ｒの両方で右向き矢印のアイコンと左向き矢印のアイコンとを異なる色で点灯させ、その時の画面映像が左画面映像と右画面映像とで異なる画面映像であることを知らせてもよい。【００３７】  また、本実施の形態１においては、サブ画面において図１，４，５に示すようなアイコン表示をもちいるのではなく、図６に示すように、相手側画面映像の縮小画面をサブ画面として表示してもよい。すなわち、左画面映像においてＡ画面映像を表示し、右画面映像においてＢ画面映像を表示しているような場合、左画面映像におけるサブ画面２４ＬではＢ画面映像の縮小画面を表示し、右画面映像におけるサブ画面２４ＲではＡ画面映像の縮小画面を表示する。【００３８】  但し、例えば、本発明をカーナビゲーション装置等に適用する場合には、表示部２０の画面面積が小さく、相手側画面映像の縮小画面ではサブ画面の内容が認識しづらいため、小画面であってもその情報が分かりやすいアイコン表示とすることが好ましい。また、アイコン表示では、画像処理に係る負担も小さくするといった観点からも有効である。【００３９】  さらには、本発明の多重映像表示装置において、各観察者に、現在の表示モードがデュアルビューモードであるかシングルビューモードであるかを知らせるための手法は、表示画面中にサブ画面を表示する手法に限定されるものでもない。それ以外の方法としては、例えば、図７に示すように、表示モード報知手段としてのＬＥＤ（Ｌｉｇｈｔ−Ｅｍｉｔｔｅｄ  Ｄｉｏｄｅ）２５Ａおよび２５Ｂを、表示部２０の外部に設け、このＬＥＤ２５Ａおよび２５Ｂの点灯によって表示モードを報知することもできる。図７の例では、ＬＥＤ２５Ａの点灯によってデュアルビューモードであることが報知でき、ＬＥＤ２５Ｂの点灯によってシングルビューモードであることが報知できる。尚、上記ＬＥＤの点灯はＬＥＤの色を変えることでデュアルビューモードあるいはシングルビューモードの報知を行うことも可能である。また、ＬＥＤの点灯は左右両方から見られるものとする。【００４０】  あるいは、左画面映像および右画面映像の何れかにおいてソースモードの設定が変更された場合に、音声案内を行って表示モードを知らせるようにしても良い。【００４１】  尚、本実施の形態１における上記説明では、シングルビューモードおよびデュアルビューモードの両モードにおいてサブ画面の表示を行っているが、いずれか一方の表示モードの場合のみサブ画面を表示することも可能である。例えば、デュアルビューモードの場合は上述したサブ画面表示を行うが、シングルビューモードの場合はサブ画面表示を行わないようにしても良い。この場合は、サブ画面の表示が無いこ��で、その時の表示モードがシングルビューモードであることを知ることができる。もちろん、これとは逆に、デュアルビューモードの場合にサブ画面表示を行わず、シングルビューモードの場合にサブ画面表示を行っても良い。【００４２】  さらには、表示モード報知手段としてＬＥＤを用いる場合においても、上記図７のように２つのＬＥＤを設けるのではなく、１つのＬＥＤの点灯および消灯や、ＬＥＤの点灯色を変えることや、ＬＥＤの点灯輝度の強弱つけることによって現在の表示モードがデュアルビューモードであるかシングルビューモードであるかを知らせるようにしても良い。【００４３】  〔実施の形態２〕
上記実施の形態１では、各観察者が、現在の表示モードがデュアルビューモードであるかシングルビューモードであるかの認識が行えるようにしているが、各画面映像において選択可能なソースモードが３種類以上ある場合も考えられる。例えば、カーナビゲーション装置では、ナビゲーション画面やテレビ画面をソースモードとして有する以外に、表示画面をタッチパネルとすることでエアコンやオーディオ等の設定画面をもソースモードとして有することが考えられる。【００４４】  このような場合には、デュアルビューモードかシングルビューモードかの表示モードを観察者に知らせるだけでは、各観察者はデュアルビューモード時に相手側の見ているソースモードを知ることができない。このため、例えばカーナビゲーション装置におけるエアコン設定において、運転者はダイヤルによる設定をしようとし、助手席にいる同乗者はタッチパネルにて運転者とは異なる設定をしようとするといった不具合が発生することなどが考えられ、装置の使い勝手を低下させる。【００４５】  このような不具合をも回避するため、本実施の形態２では、図８（ａ），（ｂ）に示すように、左画面映像および右画面映像のそれぞれにおいて、現在表示されているソースモードの情報を示すサブ画面２６Ｌおよび２６Ｒを表示する。サブ画面２６Ｌおよび２６Ｒは、左画面映像および右画面映像のそれぞれにおいて表示されているソースモードをアイコン表示するものである。【００４６】  図８（ａ）は、左画面映像にてテレビ画面映像を、右画面映像にてナビゲーション画面映像を表示している場合の表示状態を示しており、図８（ｂ）は、左画面映像にてエアコン設定画面映像を、右画面映像にてナビゲーション画面映像を表示している場合の表示状態を示している。【００４７】  また、本実施の形態２においても、各観察者に現在表示されているソースモードを知らせるための手法は、表示画面中にサブ画面を表示する手法に限定されるものではない。それ以外の方法としては、例えば、図９に示すように、表示ソースモード報知手段としてのＬＥＤ２７Ｌおよび２７Ｒを、表示部２０の外部に設け、このＬＥＤ２７Ｌおよび２７Ｒの点灯によって表示ソースモードを報知することができる。図９の例では、ＬＥＤ２７Ｌおよび２７Ｒのそれぞれは、表示可能なソースモードの数に対応した複数のＬＥＤの組で構成されており、点灯させるＬＥＤによって現在表示されているソースモードを報知できる。【００４８】  尚、上記実施の形態１および２において、サブ画面は常時表示させることが必要であるとは限らない。例えば、左画面映像および右画面映像の何れかにおいてソースモードの設定が変更された場合に、変更後しばらくは上記サブ画面の表示を行うが、一定時間経過後はサブ画面の表示を消去するようにしても良い。【００４９】  さらには、左画面映像および右画面映像の両方において同様のサブ画面表示を行う必要があるとも限らない。例えば、本発明の多重映像表示装置をカーナビゲーション装置に適用する場合などには、運転席側から見える右画面映像ではサブ画面表示を行い、助手席側から見える左画面映像ではサブ画面表示を行わないようにすることもできる。もちろん、これとは逆に、右画面映像ではサブ画面表示を行わず、左画面映像でサブ画面表示を行うようにすることも可能である。【００５０】  また、上述のサブ画面の表示形態（サブ画面の常時表示を行うか否か、左画面映像および右画面映像毎のサブ画面の表示の要否など）については、ユーザが任意に選択設定できるようにすることが好ましい。【００５１】  以上のように、本発明に係る多重映像表示装置は、複数の視点に対して異なる画像を表示することが可能な多重映像表示装置において、他の視点からの画像に関する表示情報を提供可能とする表示情報提供手段を有する。【００５２】  上記の構成によれば、上記多重映像表示装置において多重映像表示を行うにあたって、各観察者に対して他の観察者が見ている画像の情報を上記表示情報提供手段によって提供することができる。これにより、各観察者が自分以外の他の観察者が見ている映像を認識できず、観察者同士のコミュニケーションを取りづらくさせるといった問題を回避できる。【００５３】  また、上記多重映像表示装置では、上記表示情報提供手段は、各視点からの視認画像内に組み込まれるサブ画面である構成、あるいは表示部外に設けられる表示情報報知手段である構成とすることができる。【００５４】  上記表示情報提供手段を各視点からの視認画像内に組み込まれるサブ画面とする場合、上記サブ画面は、他の視点からの画像に関する表示情報をアイコン表示にて示すものであることが好ましい。【００５５】  上記の構成によれば、カーナビゲーション装置等の表示画面面積が小さい多重映像表示装置に本発明を適用する場合に、小画面であってもその情報が分かりやすくすることができ、また、アイコン表示では、画像処理に係る負担も小さくすることができる。【００５６】  また、上記サブ画面は、同一画面表示モードか多重画面表示モードであるかの表示モードを示す構成とすることもでき、各画面にて選択表示されているソースモードを示す構成とすることもできる。【００５７】  また、上記表示情報提供手段を表示部外に設けられる表示情報報知手段とする場合、上記表示情報報知手段は、同一画面表示モードか多重画面表示モードであるかの表示モードをＬＥＤの点灯にて報知する構成や、各画面にて選択表示されているソースモードをＬＥＤの点灯にて報知する構成とすることができる。
【産業上の利用可能性】
【００５８】  複数の視点に対して異なる画像を表示することが可能な多重映像表示装置に適用できる。
【図１】
0004795246.tif 000002
【図２】
0004795246.tif 000003
【図３】
0004795246.tif 000004
【図４】
0004795246.tif 000005
【図５】
0004795246.tif 000006
【図６】
0004795246.tif 000007
【図７】
0004795246.tif 000008
【図８】
0004795246.tif 000009
【図９】
0004795246.tif 000010
【図１０】
0004795246.tif 000011
【図１１】
0004795246.tif 000012
【図１２】
0004795246.tif 000013